(57)【要約】【課題】  軸受剛性の向上、さらには低コスト化を図ることを目的とする。【解決手段】  第１および第２のラジアル軸受部Ｒ１、Ｒ２のラジアル軸受隙間に油膜を形成し、軸部材２を回転可能に支持する。軸受スリーブ８及び軸部材２をハウジング７の内部に収容し、ハウジング７の内部空間を潤滑油で満たし、ハウジング７の開口部をシール部材９でシールする。シール部材９の内周面９ａ２で第１のシール空間Ｓ１を形成する。ハウジング７およびシール部材９は樹脂の射出成形で形成する。【選択図】図２
2007255593.tif 000002
【特許請求の範囲】
【請求項１】
ラジアル軸受隙間に形成した油膜で軸部材を回転可能に支持するラジアル軸受部と、ラジアル軸受部を内部に収容するハウジングと、ハウジングの内部空間を満たす潤滑油と、ハウジングの開口部をシールするシール部材とを有する流体軸受装置において、
シール部材の内周面で第１のシール空間が形成されると共に、外周面で第２のシール空間が形成され、かつハウジングが樹脂の射出成形で形成されていることを特徴とする流体軸受装置。
【請求項２】
ハウジングの開口側の端面に、突き出し機構の突き出し力を受ける突き出し面を形成した請求項１記載の流体軸受装置。
【請求項３】
ハウジングの外周面に、大径外周面と小径外周面とを設け、シール部材の外径側に大径外周面を配した請求項１又は２記載の流体軸受装置。
【請求項４】
ラジアル軸受隙間に形成した油膜で軸部材を回転可能に支持するラジアル軸受部と、ラジアル軸受部を内部に収容するハウジングと、ハウジングの内部空間を満たす潤滑油と、ハウジングの開口部をシールするシール部材とを有する流体軸受装置において、
シール部材の内周面で第１のシール空間が形成されると共に、外周面で第２のシール空間が形成され、かつシール部材が樹脂の射出成形で形成されていることを特徴とする流体軸受装置。
【請求項５】
シール部材が、内周面で第１のシール空間を形成する第１シール部と、第１シール部の一方の端面から軸方向に突出し、外周面で第２のシール空間を形成する第２シール部とを備え、第１シール部の上記一方の端面に循環溝を形成した請求項４記載の流体軸受装置。
【発明の詳細な説明】
【技術分野】
【０００１】
本発明は、ラジアル軸受隙間に形成した油膜で軸部材を回転可能に支持する流体軸受装置に関する。
【背景技術】
【０００２】
この種の流体軸受装置として、有底円筒状のハウジングの内周に焼結金属製の軸受スリーブを固定すると共に、軸受スリーブの内周に軸部材を挿入し、軸部材の外周面と軸受スリーブの内周面との間にラジアル軸受隙間を形成した構造が公知である。ハウジング内には、軸受スリーブの軸方向に隣接してシール部材が配置され、このシール部材の内周面と軸部材の外周面との間に潤滑油を満たしたシール空間を形成することにより、毛細管作用でハウジング内部に満たした潤滑油の漏れを防止している。
【０００３】
ハウジングやシール部材の一例として、快削黄銅の削り出し品が公知である（例えば、特許文献１参照）。
【特許文献１】特開２００３−１７２３３６
【発明の開示】
【発明が解決しようとする課題】
【０００４】
近年、例えばＨＤＤ装置では、大容量化に伴って磁気ディスクの搭載枚数が増える傾向にあり（多積層化）、これによる重量増に応じて軸を支持する流体軸受装置にもさらなる軸受剛性の向上、特にモーメント荷重に対する軸受剛性（モーメント剛性）の向上が求められている。その一方で、低コスト化に対する要請も依然として厳しく、従って、単に軸受剛性を向上させるだけでは足りず、これに伴うコスト高騰を如何に回避するか、という点への配慮も重要となる。
【０００５】
本発明は、かかる実情を考慮し、軸受剛性を向上させた低コストの流体軸受装置の提供を目的とする。
【課題を解決するための手段】
【０００６】
かかる目的を達成するため、本発明では、ラジアル軸受隙間に形成した油膜で軸部材を回転可能に支持するラジアル軸受部と、ラジアル軸受部を内部に収容するハウジングと、ハウジングの内部空間を満たす潤滑油と、ハウジングの開口部をシールするシール部材とを有する流体軸受装置において、シール部材の内周面で第１のシール空間を形成すると共に、外周面で第２のシール空間を形成し、かつハウジングを樹脂の射出成形で形成したものである。
【０００７】
このようにシール部材の外周面でシール空間（第２のシール空間）を形成することにより、ラジアル軸受部のラジアル軸受隙間よりも外径側にシール空間を配置することが可能となる。そのため、従来のようにラジア軸受隙間とシール空間を軸方向に並べて配置する必要はなく、軸方向で両者の少なくとも一部を重ねて配置することができる。従って、ラジアル軸受部およびシール空間を収容するハウジングの軸方向寸法を削減することができる。これは、ハウジングの軸方向寸法を変えずに隣接するラジアル軸受部間の軸方向スパンを拡大できることを意味する。これにより、軸受剛性、特にモーメント剛性をより一層向上させることが可能となる。
【０００８】
このような構成を採用した場合、ハウジングの形状がより複雑となるので、従来の金属材料の旋削品ではコストアップが著しくなる。これに対し、ハウジングを樹脂の射出成形品とすれば、複雑な形状のハウジングであっても低コストに形成可能となるので、製作コストの高騰を抑制することができる。
【０００９】
射出成形後のハウジングは、型開きにより、雄型（コア）の外周に被着した状態で金型から取り出される。この時、ハウジングの開口側の端面に、突き出し機構からの突き出し力を受ける突き出し面を形成することにより、成形品を円滑に脱型することが可能となる。突き出し面には、突き出しピン等から必要な突き出し力を受けられるよう十分な受圧面積が必要となるが、ハウジングの外周面に大径外周面と小径外周面とを設け、シール部材の外径側に大径外周面を配置しておけば、突き出し面に必要とされる受圧面積を容易に確保することができ、円滑な脱型が可能となる。また、このような構成を採用することで、ハウジングのうち、シール部材の外径側の領域とその他の領域とをほぼ等しい肉厚で形成することが可能となり、成形収縮量のばらつきによるハウジングの精度不良を回避することができる。
【００１０】
以上の説明では、ハウジングを樹脂で成形する場合を説明したが、シール部材を樹脂の射出成形で形成することもできる。シール部材の内周面および外周面でシール空間を形成する関係上、ハウジングのみならずシール部材の形状も複雑化するので、これを樹脂の射出成形品とすれば、旋削品に比べてより一層低コスト化を図ることができる。シール部材のみを樹脂の射出成形品とする他、シール部材とハウジングの双方を樹脂の射出成形品とすることもでき、これによってさらなるコストダウンを図ることが可能となる。
【００１１】
本発明におけるシール部材の具体的構成としては、内周面で第１のシール空間を形成する第１シール部と、第１シール部の一方の端面から軸方向に突出し、外周面で第２のシール空間を形成する第２シール部とを有するものを挙げることができる。
【００１２】
流体軸受装置では、ハウジング内に満たした油の圧力のアンバランスを解消するため、ハウジング内で油を循環させる場合が多い。シール部材が上記の構成を有する場合、ハウジング内での油循環を実現するためには、第１シール部の上記一方の端面に油循環用の溝を形成する必要がある。シール部材が旋削品である場合、当該溝はフライス加工で形成せざるを得ず、製作コストの高騰を招くが、本発明のようにシール部材が樹脂の成形品であれば、シール部材の成形と同時に油循環用の溝も型成形することができ、さらなるコストダウンを図ることができる。
【発明の効果】
【００１３】
本発明によれば、流体軸受装置の軸方向寸法の増大を避けつつ軸受剛性を高めることができ、しかもこの種の効果が低コストに得られる。
【発明を実施するための最良の形態】
【００１４】
以下、本発明の実施形態を図１〜図７に基づいて説明する。
【００１５】
図１は、流体軸受装置の一種である動圧軸受装置（流体動圧軸受装置）１を組込んだ情報機器用スピンドルモータの一構成例を概念的に示している。この情報機器用スピンドルモータは、ＨＤＤ等のディスク駆動装置に用いられるもので、動圧軸受装置１と、動圧軸受装置１の軸部材２に取り付けられたディスクハブ３と、例えば半径方向のギャップを介して対向させたステータコイル４およびロータマグネット５と、ブラケット６とを備えている。ステータコイル４は、ブラケット６の例えば外周面に取り付けられ、ロータマグネット５は、ディスクハブ３の内周に取り付けられている。ディスクハブ３は、その外周に磁気ディスク等のディスクＤを一枚または複数枚保持する。ステータコイル４に通電すると、ステータコイル４とロータマグネット５との間に発生する電磁力でロータマグネット５が回転し、それに伴ってディスクハブ３、および軸部材２が一体となって回転する。
【００１６】
図２は、上記スピンドルモータで使用される動圧軸受装置１の一実施形態を例示するものである。この動圧軸受装置１は、軸部材２と、有底筒状のハウジング７と、ハウジング７内に収容された軸受スリーブ８と、ハウジング７の一端開口部をシールするシール部材９とを主要構成部品として構成される。なお、以下では、説明の便宜上、ハウジング７の開口側を上側、その軸方向反対側を下側として説明を進める。
【００１７】
軸部材２は、ステンレス鋼等の金属材料で形成され、軸部２ａと軸部２ａの下端に一体又は別体に設けられたフランジ部２ｂとを備えている。軸部材２の全体を金属で形成する他、例えばフランジ部２ｂの全体あるいはその一部（例えば両端面）を樹脂で構成することにより、金属と樹脂のハイブリッド構造とすることもできる。
【００１８】
ハウジング７は、円筒状の小径部７ａと、小径部７ａの一端側に配置された大径部７ｂと、小径部７ａの他端開口部を封口する底部７ｃとで一体構成される。大径部７ｂの外周面７ｂ１（大径外周面）は小径部７ａの外周面７ａ１（小径外周面）より大径に形成され、同様に大径部７ｂの内周面７ｂ２も小径部７ａの内周面７ａ２より大径に形成されている。両内周面７ａ２、７ｂ２の境界面７ｅは軸方向と直交する方向の平坦面状に形成される。底部７ｃの内底面７ｃ１には、スラスト軸受面となる動圧溝領域（図２に黒塗りで示す）が形成され、この領域には、動圧発生部として、例えばスパイラル状に配列した複数の動圧溝（図示省略）が形成されている。小径外周面７ａ１は例えば接着によって図１に示すブラケット６の内周面に固定される。
【００１９】
ハウジング７は、樹脂の射出成形によって形成される。樹脂が固化する際の成形収縮差による変形を防止するため、ハウジング７の各部７ａ〜７ｃはほぼ均一な肉厚に形成してある。
【００２０】
ハウジング７を形成する樹脂は主に熱可塑性樹脂であり、例えば、非晶性樹脂として、ポリサルフォン（ＰＳＦ）、ポリエーテルサルフォン（ＰＥＳ）、ポリフェニルサルフォン（ＰＰＳＵ）、ポリエーテルイミド（ＰＥＩ）等、結晶性樹脂として、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等を用いることができる。また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボンファイバー、カーボンブラック、黒鉛、カーボンナノマテリアル、金属粉末等の繊維状又は粉末状の導電性充填材を用いることができる。これらの充填材は、単独で用い、あるいは、二種以上を混合して使用しても良い。
【００２１】
図４は、ハウジング７の射出成形工程を示すものである。図示のように、ハウジング７は、型締めした二つの金型（雄型１２と雌型１３）のうち、雌型１３の軸芯部に設けた点状ゲート１４から溶融樹脂をキャビティに射出して成形される。ゲートの構成や数は任意で、複数の点状ゲートやディスクゲートを採用することもできる。ゲート位置も任意で、例えば底部７ｃの外周縁部にゲート１４を配置することもできる。
【００２２】
樹脂の固化後に型開きすると、成形品は雄型１２に被着した状態で雌型１３から取り出される。その後、雄型１２に設けた突き出し機構、例えば突き出しピン１５で開口側端面７ｆを押圧することにより、ハウジング７が雄型１２から分離される。ハウジング７の突き出しは、突き出しピン以外にも例えば突き出しリングや突き出しプレートで行うこともできる
【００２３】
軸受スリーブ８は、焼結合金からなる多孔質体、例えば銅を主成分とする焼結金属で円筒状に形成される。焼結金属には潤滑油が含浸されている。この他、中実の金属材料、例えば黄銅等の軟質金属で軸受スリーブ８を形成することもできる。
【００２４】
軸受スリーブ８の内周面８ａには、ラジアル軸受面となる上下２つの動圧溝領域（図２に黒塗りで示す）が軸方向に離隔して設けられる。これら２つの領域には、図３に示すように、動圧発生部として、例えばヘリングボーン形状に配列した複数の動圧溝Ｇがそれぞれ形成される。上側の領域の動圧溝Ｇは軸方向で非対称に形成されており、該領域内では上側の動圧溝の軸方向長さＸ１が下側の動圧溝の軸方向長さＸ２よりも若干大きくなっている（Ｘ１＞Ｘ２）。一方、下側の領域の動圧溝Ｇは軸方向対称に形成され、該領域内では上下の動圧溝Ｇの軸方向長さがそれぞれ等しい。動圧溝Ｇを有するラジアル軸受面となる領域は、軸部材２の軸部２ａの外周面に形成することもできる。
【００２５】
軸受スリーブ８の下側端面８ｂには、スラスト軸受面となる動圧溝領域（図２に黒塗りで示す）が形成される。この領域には、動圧発生部として、例えばスパイラル状に配列した複数の動圧溝（図示省略）が形成されている。
【００２６】
軸受スリーブ８の外周面の一箇所もしくは円周方向に等配した複数箇所には、潤滑油を循環させるための循環溝８ｄが軸方向に形成される。循環溝８ｄの両端は軸受スリーブ８の両端面８ｂ、８ｃに開口している。
【００２７】
シール部材９は、円盤状の第１シール部９ａと、第１シール部９ａの一方の端面９ａ１から軸方向に突出した円筒状の第２シール部９ｂとで断面逆Ｌ字形に一体形成される。本実施形態において、第２シール部９ｂの外周面９ｂ１および内周面９ｂ２は何れも円筒面状に形成されるが、第１シール部９ａの内周面９ａ２は上方を拡径させたテーパ面状に形成される。図６および図７に示すように、上記一方の端面９ａ１には、潤滑油を循環させるための半径方向の循環溝１０が形成されている。この循環溝１０は、端面９ａ１を横断して一箇所もしくは円周方向の等配複数箇所（図７では３箇所）に形成される。このシール部材９も上記ハウジングと同様に樹脂の射出成形品で形成される。使用可能なベース樹脂や充填材は、ハウジング７でのこれらの例示に準じるので、説明を省略する。
【００２８】
動圧軸受装置１の組立は、ハウジング７内に軸部材２を収容した後、ハウジング７の内周面に軸受スリーブ８を固定し、さらに軸受スリーブ８の外周面上端にシール部材９を固定することで行われる。その後、ハウジング７の内部空間に潤滑油を充満させれば、図２に示す動圧軸受装置１が得られる。ハウジング７と軸受スリーブ８の固定、および軸受スリーブ８とシール部材９の固定は、圧入や接着、さらには圧入接着（接着剤の介在の下で圧入する）で行うことができる。組立後は、シール部材９を構成する第１シール部９ａの端面９ａ１が軸受スリーブ８の上側端面８ｃと当接し、第２シール部９ｂの下側端面がハウジング７の内周の境界面７ｅと軸方向隙間１１を介して対向している。また、シール部材９は、ハウジング７の大径部７ｂの内径側に配置される。
【００２９】
軸部材２の回転時には、軸受スリーブ８の内周面８ａのうち、ラジアル軸受面となる上下２箇所の動圧溝領域は、それぞれ軸部２ａの外周面とラジアル軸受隙間を介して対向する。また、軸受スリーブ８の下側端面８ｂのスラスト軸受面となる動圧溝領域がフランジ部２ｂの上側端面２ｂ１とスラスト軸受隙間を介して対向し、ハウジング底部７ｃの内底面７ｃ１のスラスト軸受面となる動圧溝領域は、フランジ部２ｂの下側端面２ｂ２とスラスト軸受隙間を介して対向する。そして、軸部材２の回転に伴い、上記ラジアル軸受隙間に潤滑油の動圧が発生し、軸部材２がラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２が二つのスラスト軸受隙間内に形成される潤滑油の油膜によってスラスト方向に回転自在に非接触支持される。これにより、軸部材２をスラスト方向に回転自在に非接触支持する第１スラスト軸受部Ｔ１と第２スラスト軸受部Ｔ２とが構成される。
【００３０】
第１シール部９ａの内周面９ａ２は、軸部２ａの外周面との間に所定の容積をもった第１のシール空間Ｓ１を形成する。この実施形態において、第１シール部９ａの内周面９ａ２は上方に向かって漸次拡径したテーパ面状に形成され、そのため第１のシール空間Ｓ１は下方に向かって漸次縮小したテーパ形状を呈する。また、第２シール部９ａの外周面９ｂ１は、ハウジング７の大径部内周面７ｂ２との間に所定の容積をもった第２のシール空間Ｓ２を形成する。この実施形態において、ハウジング７の大径部７ｂの内周面７ｂ２は、上方に向かって漸次拡径したテーパ面状に形成され、そのため第１および第２のシール空間Ｓ１、Ｓ２は下方に向かって漸次縮小したテーパ形状を呈する。従って、シール空間Ｓ１、Ｓ２内の潤滑油は毛細管力による引き込み作用により、シール空間Ｓ１、Ｓ２が狭くなる方向に向けて引き込まれ、これによりハウジング７の上端開口部がシールされる。シール空間Ｓ１、Ｓ２は、ハウジング７の内部空間に充満された潤滑油の温度変化に伴う容積変化量を吸収するバッファ機能をも有し、油面は常時シール空間Ｓ１、Ｓ２内にある。第１のシール空間Ｓ１と第２のシール空間の容積は、第１のシール空間Ｓ１の方が小さい。
【００３１】
なお、第１シール部９ａの内周面９ａ２を円筒面とする一方、これに対向する軸部２ａの外周面をテーパ面状に形成してもよく、この場合、さらに第１のシール空間Ｓ１に遠心力シールとしての機能も付与することができるのでシール効果がより一層高まる。
【００３２】
上述のように、第１ラジアル軸受部Ｒ１の動圧溝Ｇは軸方向非対称に形成されており、上側領域の軸方向寸法Ｘが下側領域の軸方向寸法Ｙよりも大きくなっている。そのため、軸部材２の回転時、動圧溝Ｇによる潤滑油の引き込み力（ポンピング力）は上側領域が下側領域に比べて相対的に大きくなる。そして、この引き込み力の差圧によって、軸受スリーブ８の内周面８ａと軸部２ａの外周面との間の隙間に満たされた潤滑油が下方に流動し、第１スラスト軸受部Ｔ１のスラスト軸受隙間→軸方向の循環溝８ｄ→半径方向の循環溝１０という経路を循環して、第１ラジアル軸受部Ｒ１のラジアル軸受隙間に再び引き込まれる。
【００３３】
このように、潤滑油がハウジング７の内部を流動循環するように構成することで、ハウジング７の内部に満たされた潤滑油の圧力が局所的に負圧になる現象を防止して、負圧発生に伴う気泡の生成、気泡の生成に起因する潤滑油の漏れや振動の発生等の問題を解消することができる。この潤滑油の循環経路には、第１のシール空間Ｓ１が連通し、さらに軸方向隙間１１を介して第２のシール空間Ｓ２が連通しているので、何らかの理由で潤滑油中に気泡が混入した場合でも、気泡が潤滑油に伴って循環する際にこれらシール空間Ｓ１、Ｓ２内の潤滑油の油面（気液界面）から外気に排出され、気泡による悪影響はより一層効果的に防止される。
【００３４】
なお、軸方向の循環溝８ｄはハウジング７の内周面に形成することができ、半径方向の循環溝１０は軸受スリーブ８の上側端面８ｃに形成することもできる。
【００３５】
本発明においては、前述のようにこのようにシール部材９の内周面だけでなく、外周面によってもシール空間Ｓ２が形成されている。従来では、軸部２ａの外周面を利用してラジアル軸受隙間およびシール空間の双方を形成しているため、両者は軸方向に並べて配置せざるを得ず、軸方向の所要スペースが嵩む。これに対し、本発明のように、シール部材９の外周面で第２のシール空間Ｓ２を形成する場合、第２のシール空間Ｓ２をラジアル軸受隙間の外径側に形成することができ、図２に示すように、第２のシール空間Ｓ２の形成領域とラジアル軸受隙間（図示例では第１のラジアル軸受部Ｒ１のラジアル軸受隙間）の形成領域とを軸方向で重ねることができる。また、バッファ機能を確保する上で必要な油量が第２のシール空間Ｓ２でも確保されるので、第１のシール空間Ｓ１で保持すべき油量が減り、第１のシール空間Ｓ１の低容積化、つまり第１シール部９ａの薄肉化を図ることができる。以上の理由から、軸受装置の軸方向寸法の増大を抑えつつ軸受スリーブ８の軸方向寸法を増すことが可能となる。これにより、２つのラジアル軸受部Ｒ１、Ｒ２間のスパンを長くすることができ、軸受剛性（特にモーメント剛性）を向上させ、ＨＤＤ装置でのディスクの多積層化に対応することが可能となる。
【００３６】
その一方で、このような構成に応じて形状が複雑化するハウジング７およびシール部材９を樹脂の射出成形品としているので、これらの部材の高コスト化を抑え、安価な動圧軸受装置１を提供することが可能となる。特にシール部材９については、その形状が略円筒状となるので、金属材料の削り出し品では端面９ａ１に半径方向溝１０を形成することが困難となってシール部材９が著しく高コスト化するが、樹脂の射出成形であれば、シール部材９の成形と同時に半径方向溝１０を同時に成形することができるので、より一層の低コスト化を図ることができる。
【００３７】
また、図２に示すように、ハウジング７の外周面を、開口側で他所よりも大径に形成しているので（大径外周面７ｂ１）、シール部材９の外径側に位置する大径部７ｂで十分な肉厚を確保することができる。従って、射出成形工程において樹脂の固化後、成形品を突き出しピン１５等で突き出す際にも、突き出し面７ｆで十分な大きさの受圧面積を確保することができ、突き出しピン等による円滑な突き出しが可能となる。また、大径部７ｂを含むハウジング７全体をほぼ均一な肉厚にすることが可能となるので、成形収縮量のばらつきによるハウジング７の精度悪化を回避することができる。図５のハウジング７’は、本願発明との対比のため、大径部７ｂに相当する部分７ｂ’の外周面を他所と同径寸法に形成したものであるが、この場合、突き出し面７ｆ’で十分な受圧面積を確保することが難しく、かつ大径部７ｂに相当する部分７ｂ’が他所に比べて薄肉となるので、成形収縮量にばらつきを生じることとなる。
【００３８】
以上の説明では、第１および第２スラスト軸受部Ｔ１、Ｔ２の動圧溝を軸受スリーブ８の端面８ｂやハウジング底部７ｃの内底面７ｃ１に形成する場合を例示したが、フランジ部２ｂの両端面２ｂ１、２ｂ２の一方または双方に動圧発生部としての動圧溝を形成することもできる。
【００３９】
また、ラジアル軸受部Ｒ１、Ｒ２およびスラスト軸受部Ｔ１、Ｔ２として、ヘリングボーン形状やスパイラル形状の動圧溝により潤滑油の動圧作用を発生させる構成を例示しているが、ラジアル軸受部Ｒ１、Ｒ２として、いわゆるステップ軸受や、波型軸受、あるいは多円弧軸受を採用することもでき、スラスト軸受部Ｔ１、Ｔ２としてステップ軸受や波型軸受を採用することもできる。さらには、ラジアル軸受部Ｒ１、Ｒ２として、動圧発生部を有しない、いわゆる真円軸受を採用することもでき、スラスト軸受部Ｔ１、Ｔ２として軸部材の端部を接触支持するピボット軸受を採用することもできる。
【図面の簡単な説明】
【００４０】
【図１】本発明にかかる流体軸受装置を組込んだＨＤＤ用スピンドルモータの断面図である。
【図２】本発明にかかる流体軸受装置の断面図である。
【図３】軸受スリーブの断面図である。
【図４】ハウジングの射出成形工程を示す断面図である。
【図５】対比例としてのハウジングを示す断面図である。
【図６】シール部材のＡ−Ａ線（図７参照）での断面図である。
【図７】Ｂ方向（図６参照）から見たシール部材の平面図である。
【符号の説明】
【００４１】
１      流体軸受装置（流体動圧軸受装置）
２      軸部材
３      ハブ
４      ステータコイル
５      ロータマグネット
６      ブラケット
７      ハウジング
７ａ    小径部
７ａ１  小径外周面
７ｂ    大径部
７ｂ１  大径外周面
７ｃ    底部
７ｆ    突き出し面
８      軸受スリーブ
９      シール部材
９ａ    第１シール部
９ｂ    第２シール部
１０    循環溝
１２    雄型
１３    雌型
１４    ゲート
Ｒ１    第１のラジアル軸受部
Ｒ２    第２のラジアル軸受部
Ｓ１    第１のシール空間
Ｓ２    第２のシール空間
Ｔ１    第１のスラスト軸受部
Ｔ２    第２のスラスト軸受部
【図１】
2007255593.tif 000003
【図２】
2007255593.tif 000004
【図３】
2007255593.tif 000005
【図４】
2007255593.tif 000006
【図５】
2007255593.tif 000007
【図６】
2007255593.tif 000008
【図７】
2007255593.tif 000009